(57)【要約】【課題】待機電力を低減可能なモータを簡単な構成で安価に実現するととともに、このモータを備えたポンプ並びに液体循環装置を提供する。【解決手段】モータは、モータコイル５と、モータコイル５に電力を供給するモータ駆動用電源１と、モータコイル５の駆動を制御する制御回路３と、モータ駆動用電源１から電力供給を受けて制御回路３に動作電力を供給するレギュレータ２とを備える。モータ駆動用電源１とレギュレータ２との間には、スイッチＳＷ１のＯＮ／ＯＦＦ操作に応じて入力される外部信号によってＯＮ／ＯＦＦ状態が切り替えられるスイッチＳＷ２が設けられており、スイッチＳＷ２のＯＮ／ＯＦＦ状態に応じてレギュレータ２の出力がＯＮ／ＯＦＦされるようになっている。その結果、レギュレータ２の出力がＯＦＦになっている状態では、待機電力を低減することができるのである。【選択図】図１
2011259598.tif 000002
【特許請求の範囲】
【請求項１】
モータコイルと、
前記モータコイルに電力を供給するモータ駆動用電源と、
前記モータコイルの駆動を制御する制御回路と、
前記モータ駆動用電源から電力供給を受けて前記制御回路に動作電力を供給する制御電源回路とを備え、
前記制御電源回路の出力が外部信号に応じてＯＮ／ＯＦＦされることを特徴とするモータ。
【請求項２】
前記モータ駆動用電源と前記制御電源回路との間に設けられて、前記外部信号に応じてＯＮ／ＯＦＦされる第１のスイッチを備えていることを特徴とする請求項１記載のモータ。
【請求項３】
前記制御電源回路は、トランジスタを少なくとも具備したシリーズレギュレータからなり、前記トランジスタのベース電圧が前記外部信号に応じてグランドレベル又は所定の電圧レベルに設定されることを特徴とする請求項１記載のモータ。
【請求項４】
前記トランジスタのエミッタ−ベース間に設けられて、前記外部信号に応じてＯＮ／ＯＦＦされる第２のスイッチを備えていることを特徴とする請求項３記載のモータ。
【請求項５】
前記制御電源回路の出力電圧を検出する電圧検出手段を備え、
前記制御回路は、前記電圧検出手段による検出電圧が所定の基準値を超えると前記モータコイルを駆動させることを特徴とする請求項１〜４の何れか１項に記載のモータ。
【請求項６】
タイマ手段を備え、
前記制御回路は、前記外部信号が入力されてから前記タイマ手段による所定の計時時間が経過すると前記モータコイルを駆動させることを特徴とする請求項１〜５の何れか１項に記載のモータ。
【請求項７】
請求項１〜６の何れか１項に記載のモータを備えていることを特徴とするポンプ。
【請求項８】
請求項７記載のポンプを備えていることを特徴とする液体循環装置。
【発明の詳細な説明】
【技術分野】
【０００１】
本発明は、モータ及びそれを用いたポンプ並びに液体循環装置に関するものである。
【背景技術】
【０００２】
従来より、ファンモータのスピードをコントロールするコントロール回路が提供されている（例えば特許文献１参照）。このコントロール回路は、ツェナーダイオードや制御用抵抗、比較器、トランジスタなどで構成された所謂シリーズ型レギュレータ回路からなり、トランジスタに流れる電流の大きさに応じてファンモータのスピードをコントロールできるようになっている。
【先行技術文献】
【特許文献】
【０００３】
【特許文献１】実開平３−１８６９７号公報（第４頁第１６行目−第７頁第５行目、及び、第１図）
【発明の概要】
【発明が解決しようとする課題】
【０００４】
しかしながら、上述の特許文献１に示したコントロール回路では、制御対象であるファンモータと、比較器やトランジスタなどの制御回路とが共通の電源から電力供給を受けており、そのため例えばファンモータを停止させているときでも制御回路には電力が供給されるものであった。つまり、上記のコントロール回路は、ファンモータが待機中であっても制御回路で電力が消費されるため、待機電力を低減できるものではなかった。
【０００５】
そこで、待機電力を低減すべく、スイッチングレギュレータにより降圧させた所定の電力を制御回路に供給するモータ駆動回路も提供されているが、このモータ駆動回路ではスイッチングレギュレータを用いることで回路規模が大きくなり、またスイッチングレギュレータを停止させるための回路が別途必要であることから、高価で複雑な回路構成を必要とするものであった。
【０００６】
本発明は上記問題点に鑑みて為されたものであり、その目的とするところは、待機電力を低減可能なモータを簡単な構成で安価に実現するととともに、このモータを備えたポンプ並びに液体循環装置を提供することにある。
【課題を解決するための手段】
【０００７】
本発明のモータは、モータコイルと、モータコイルに電力を供給するモータ駆動用電源と、モータコイルの駆動を制御する制御回路と、モータ駆動用電源から電力供給を受けて制御回路に動作電力を供給する制御電源回路とを備え、制御電源回路の出力が外部信号に応じてＯＮ／ＯＦＦされることを特徴とする。
【０００８】
このモータにおいて、モータ駆動用電源と制御電源回路との間に設けられて、外部信号に応じてＯＮ／ＯＦＦされる第１のスイッチを備えているのが好ましい。
【０００９】
また、このモータにおいて、制御電源回路は、トランジスタを少なくとも具備したシリーズレギュレータからなり、トランジスタのベース電圧が外部信号に応じてグランドレベル又は所定の電圧レベルに設定されるのも好ましい。
【００１０】
さらに、このモータにおいて、トランジスタのエミッタ−ベース間に設けられて、外部信号に応じてＯＮ／ＯＦＦされる第２のスイッチを備えているのも好ましい。
【００１１】
また、このモータにおいて、制御電源回路の出力電圧を検出する電圧検出手段を備え、制御回路は、電圧検出手段による検出電圧が所定の基準値を超えるとモータコイルを駆動させるのも好ましい。
【００１２】
さらに、このモータにおいて、タイマ手段を備え、制御回路は、外部信号が入力されてからタイマ手段による所定の計時時間が経過するとモータコイルを駆動させるのも好ましい。
【００１３】
本発明のポンプは、上記のモータを備えていることを特徴とする。
【００１４】
本発明の液体循環装置は、上記のポンプを備えていることを特徴とする。
【発明の効果】
【００１５】
待機電力を低減可能なモータを簡単な構成で安価に実現できるとともに、このモータを備えたポンプ並びに液体循環装置を提供することができるという効果がある。
【図面の簡単な説明】
【００１６】
【図１】実施形態１のモータの一例を示す概略ブロック図である。
【図２】同上の他の例を示す概略ブロック図である。
【図３】同上のさらに他の例を示す概略ブロック図である。
【図４】実施形態２のモータの一例を示す概略ブロック図である。
【図５】同上の他の例を示す概略ブロック図である。
【図６】同上のさらに他の例を示す概略ブロック図である。
【図７】本発明に係るポンプの断面図である。
【図８】本発明に係る液体循環装置の適用例である。
【発明を実施するための形態】
【００１７】
以下に、本発明に係るモータ及びこのモータを用いたポンプ並びに液体循環装置の実施形態を図面に基づいて説明する。なお、以下の説明では、本発明に係るモータが単相全波ブラシレスＤＣモータの場合について説明する。
【００１８】
（実施形態１）
図１は本実施形態のモータＭの一例を示す概略ブロック図であり、本モータＭは、モータコイル５と、モータコイル５に所定の電力を供給するモータ駆動用電源１と、モータコイル５を駆動する駆動回路４と、駆動回路４を制御する制御回路３と、モータ駆動用電源１から電力供給を受けて制御回路３に所定の動作電力を供給するレギュレータ（制御電源回路）２と、外部信号入力部６とを備える。なお、本実施形態では、レギュレータ２及び制御回路３は従来周知のものを採用しており、詳細な説明については省略する。
【００１９】
駆動回路４は、図１に示すように４つのスイッチング素子Ｑ１〜Ｑ４で構成された所謂Ｈブリッジ回路からなり、例えばスイッチング素子Ｑ１，Ｑ２としてＰチャネル型のＦＥＴを用いるとともに、スイッチング素子Ｑ３，Ｑ４としてＮチャネル型のＦＥＴを用いている。スイッチング素子Ｑ１，Ｑ２のソース端子はともにモータ駆動用電源１の正極に接続されており、さらにスイッチング素子Ｑ１，Ｑ２のドレイン端子はそれぞれスイッチング素子Ｑ３，Ｑ４のドレイン端子に接続されている。また、スイッチング素子Ｑ３，Ｑ４のソース端子はともにモータ駆動用電源１の負極に接続されており、さらにスイッチング素子Ｑ１〜Ｑ４のゲート端子はそれぞれ制御回路３に接続されている。そして、スイッチング素子Ｑ１のドレイン端子とスイッチング素子Ｑ３のドレイン端子の接続点にはモータコイル５の一端が接続され、さらにスイッチング素子Ｑ２のドレイン端子とスイッチング素子Ｑ４のドレイン端子の接続点にはモータコイル５の他端が接続されている。
【００２０】
外部信号入力部６は、図１に示すようにスイッチＳＷ１を有し、このスイッチＳＷ１のＯＮ／ＯＦＦ操作に応じて所定の外部信号（ＯＮ信号）を出力する。そして、本実施形態では、図１に示すようにモータ駆動用電源１の正極とレギュレータ２の入力端との間にスイッチＳＷ２が設けられており、上記の外部信号に応じてスイッチＳＷ２のＯＮ／ＯＦＦ状態が切り替えられるようになっている。なお、スイッチＳＷ２は、例えばトランジスタやＦＥＴ、リレーなどで構成される。
【００２１】
具体的には、スイッチＳＷ１がＯＮにされて上記の外部信号が外部信号入力部６から出力されると、この外部信号によりスイッチＳＷ２がＯＮ状態になり、モータ駆動用電源１からレギュレータ２に所定の電力が供給される。そして、電力が供給されたレギュレータ２は、所定の動作電力を生成して制御回路３に供給するのである。
【００２２】
逆に、スイッチＳＷ１がＯＦＦにされた場合には、外部信号入力部６から出力されていた外部信号がＯＦＦになり、外部信号がＯＦＦになったことでスイッチＳＷ２がＯＦＦ状態になり、モータ駆動用電源１からレギュレータ２への電力供給が停止される。その結果、レギュレータ２から制御回路３への電力供給も停止される。ここに、本実施形態では、スイッチＳＷ２により第１のスイッチが構成されている。
【００２３】
また、本実施形態のモータＭは、図７に示すようにステータコア１０と、複数の磁極を有し、マグネット面をステータコア１０に対向させた状態で回転自在に配置されるマグネットロータ１１とを備える。そして、ステータコア１０には、上述したモータコイル５が巻回されている。ここにおいて、上述したレギュレータ２、制御回路３、駆動回路４及びスイッチＳＷ２はプリント基板１３に実装されており、またプリント基板１３には、マグネットロータ１１の磁極位置を検出する磁気センサ１２も実装されている。
【００２４】
次に、モータＭの動作について図１及び図７に基づいて説明する。外部信号入力部６のスイッチＳＷ１がＯＮにされると、外部信号入力部６からスイッチＳＷ２に対して所定の外部信号（ＯＮ信号）が出力され、この外部信号によりスイッチＳＷ２がＯＮ状態になる。そして、スイッチＳＷ２がＯＮ状態になると、モータ駆動用電源１からレギュレータ２に所定の電力が供給され、レギュレータ２では、供給された電力を降圧して所定の動作電力を生成する。そして、生成された上記の動作電力は制御回路３に供給されて、制御回路３が起動する。
【００２５】
制御回路３が起動すると、マグネットロータ１１の磁極位置を検出した磁気センサ１２から所定の検知信号が制御回路３に出力される。検知信号を受け取った制御回路３は、例えばスイッチング素子Ｑ１，Ｑ４に対してゲート信号を出力してスイッチング素子Ｑ１，Ｑ４をＯＮにする。すると、スイッチング素子Ｑ１からスイッチング素子Ｑ４へ向かう向き（図１中の矢印ａの向き）の電流がモータコイル５に流れ、この電流によってステータコア１０に磁界が発生する。そして、この発生した磁界によりマグネットロータ１１が回転するのである。
【００２６】
マグネットロータ１１が回転することによって磁極位置が変化すると、磁気センサ１２はこの磁極位置の変化を検出して、対応する検知信号を制御回路３に出力する。検知信号を受け取った制御回路３は、スイッチング素子Ｑ１，Ｑ４をＯＦＦにするとともにスイッチング素子Ｑ２，Ｑ３をＯＮにして、上記の方向とは逆向き（図１中の矢印ａと反対向き）の電流をモータコイル５に流す。すると、この電流によって上記の方向とは逆向きの磁界がステータコア１０に発生し、この発生した磁界によりマグネットロータ１１が回転するのである。なおこのとき、マグネットロータ１１は、上記の方向と同じ方向に回転することになる。
【００２７】
以下同様にして、制御回路３がスイッチング素子Ｑ１，Ｑ４の組と、スイッチング素子Ｑ２，Ｑ３の組を交互にＯＮにすることでモータコイル５に交番電流が流れ、この交番電流によってステータコア１０に発生する交番磁界によりマグネットロータ１１の回転が維持されるのである。
【００２８】
モータＭが回転している状態でスイッチＳＷ１がＯＦＦにされると、外部信号入力部６から出力されていた外部信号（ＯＮ信号）がＯＦＦになり、外部信号がＯＦＦになったことでスイッチＳＷ２がＯＦＦになる。スイッチＳＷ２がＯＦＦになると、モータ駆動用電源１からレギュレータ２への電力供給が停止され、その結果、レギュレータ２から制御回路３に供給されていた動作電力が供給されなくなり、制御回路３が停止する。そして、制御回路３が停止することで全てのスイッチング素子Ｑ１〜Ｑ４がＯＦＦにされて、モータコイル５が非通電状態となり、その結果、ステータコア１０に発生していた交番磁界も消失してマグネットロータ１１の回転が停止される。
【００２９】
このとき、レギュレータ２、制御回路３及びモータコイル５への通電がすべて停止されることから、モータ停止時における電力消費を抑えることができ、その結果、モータ停止中の待機電力を極めて小さく抑えることができる。また、外部信号入力部６によってＯＮ／ＯＦＦされるスイッチＳＷ２を設けるだけでいいので、待機電力を低減可能なモータＭを簡単な構成で安価に実現することができる。
【００３０】
次に、図２は本実施形態のモータＭの他の例を示す概略ブロック図であり、レギュレータ２の出力電圧を検出する電圧検出回路７を設けている点で上述した図１に示すモータＭと異なっている。なお、それ以外の構成については図１と同様であり、同一の構成要素には同一の符号を付して説明は省略する。
【００３１】
本例のモータＭは、モータ駆動用電源１と、レギュレータ２と、制御回路３と、駆動回路４と、モータコイル５と、外部信号入力部６と、レギュレータ２の出力電圧を検出する電圧検出回路（電圧検出手段）７とを備える。
【００３２】
電圧検出回路７は、図２に示すようにツェナーダイオードＺＤ１と抵抗Ｒ１の直列回路からなり、ツェナーダイオードＺＤ１のカソード端子がレギュレータ２の出力端に接続されている。また、抵抗Ｒ１の一端がモータ駆動用電源１の負極に接続されるとともに、抵抗Ｒ１の他端とツェナーダイオードＺＤ１のアノード端子との接続点が制御回路３に接続されている。つまり、本実施形態の電圧検出回路７によれば、レギュレータ２からの出力電圧値に応じて設定される抵抗Ｒ１の両端電圧値が制御回路３に入力されるようになっており、制御回路３は、この抵抗Ｒ１の両端電圧値が所定の基準値を超えたところでモータコイル５を駆動させるようになっている。
【００３３】
具体的に説明すると、レギュレータ２の出力電圧が所定の基準値（ツェナー電圧）を超えると、ツェナーダイオードＺＤ１にツェナー電流が流れて抵抗Ｒ１の両端電圧が上昇する。そして、この抵抗Ｒ１の両端電圧値が制御回路３に入力されると、制御回路３は、上述した動作を開始するように駆動回路４の各スイッチング素子Ｑ１〜Ｑ４に対してゲート信号を出力するのである。逆に、レギュレータ２の出力電圧がツェナー電圧以下である場合には、ツェナーダイオードＺＤ１にツェナー電流が流れないため、抵抗Ｒ１の両端に電圧が発生せず、したがってこの場合、制御回路３は各スイッチング素子Ｑ１〜Ｑ４に対してゲート信号を出力しない。
【００３４】
而して、本例のように、レギュレータ（制御電源回路）２の出力電圧が所定の基準値（ツェナー電圧）を超えてからモータコイル５を駆動させることで、当該モータコイル５の起動に必要な電力を供給することができて、モータＭの起動性を高めることができる。
【００３５】
さらに、図３は本実施形態のモータＭのさらに他の例を示す概略ブロック図であり、モータＭの起動タイミングを遅延させるためのタイマ回路８を設けている点で上述した図１に示すモータＭと異なっている。なお、それ以外の構成については図１と同様であり、同一の構成要素には同一の符号を付して説明は省略する。
【００３６】
本例のモータＭは、モータ駆動用電源１と、レギュレータ２と、制御回路３と、駆動回路４と、モータコイル５と、外部信号入力部６と、モータＭの起動タイミングを遅延させるためのタイマ回路（タイマ手段）８とを備える。
【００３７】
タイマ回路８は、図３に示すように抵抗Ｒ２とコンデンサＣ１の直列回路と、抵抗Ｒ２とコンデンサＣ１の接続点に一端が接続された抵抗Ｒ３と、抵抗Ｒ３の他端がアノード端子に接続され、カソード端子がスイッチＳＷ１の一端に接続されたダイオードＤ１とで構成されている。また、抵抗Ｒ２とコンデンサＣ１の接続点は制御回路３にも接続されており、制御回路３への入力信号となっている。なお、このタイマ回路８によって遅延される時間は、制御回路３の動作が安定するまでの所定時間に設定されている。
【００３８】
具体的に説明すると、外部信号入力部６のスイッチＳＷ１がＯＮにされると、モータ駆動用電源１から抵抗Ｒ２を介してコンデンサＣ１に充電されていた電荷が抵抗Ｒ３及びダイオードＤ１を介して所定の時定数に従って放電される。なおこのとき、外部信号入力部６から出力される外部信号（ＯＮ信号）によりスイッチＳＷ２がＯＮ状態になり、上述と同様の処理を経て生成された動作電力がレギュレータ２から制御回路３に供給される。そして、上記の放電によってコンデンサＣ１の両端電圧が所定の基準値以下になると、制御回路３は、所定の遅延時間が経過したと判断し、上述と同様に駆動回路４の各スイッチング素子Ｑ１〜Ｑ４に対してゲート信号の出力を開始するのである。また逆に、制御回路３に入力されるコンデンサＣ１の両端電圧が所定の基準値以上である場合には、制御回路３は各スイッチング素子Ｑ１〜Ｑ４に対してゲート信号を出力しない。なお、上記の時定数は抵抗Ｒ２，Ｒ３及びコンデンサＣ１により決定され、また上記の基準値は制御回路３の動作が安定するまでの時間に対応した電圧値に設定されている。
【００３９】
而して、本例のように、制御回路３の動作が安定する所定の遅延時間が経過してからモータコイル５を駆動させることで、当該モータコイル５の起動に必要な電力を供給することができて、モータＭの起動性を高めることができる。
【００４０】
また、上述した図２及び図３に示すモータＭも、スイッチＳＷ２がＯＦＦになるとレギュレータ２、制御回路３及びモータコイル５への通電がすべて停止されることから、モータ停止時における電力消費を抑えることができ、その結果、モータ停止中の待機電力を極めて小さく抑えることができる。
【００４１】
（実施形態２）
本発明に係るモータの実施形態２を図４〜図６に基づいて説明する。本実施形態では、レギュレータ２としてトランジスタＴｒ１を具備した所謂シリーズレギュレータを用いている点で実施形態１と異なっている。なお、それ以外の構成については、実施形態１と同様であり、同一の構成要素には同一の符号を付して説明は省略する。
【００４２】
図４は本実施形態のモータＭの一例を示す概略ブロック図であり、本モータＭは、モータ駆動用電源１と、レギュレータ２と、制御回路３と、駆動回路４と、モータコイル５と、外部信号入力部６とを備える。
【００４３】
レギュレータ（制御電源回路）２は、所謂シリーズレギュレータであって、モータ駆動用電源１の正極にコレクタ端子が接続されたトランジスタＴｒ１を有し、トランジスタＴｒ１のベース端子にはツェナーダイオードＺＤ２のカソード端子が接続されている。なお、ツェナーダイオードＺＤ２のアノード端子はモータ駆動用電源１の負極に接続されている。また、トランジスタＴｒ１のコレクタ端子とベース端子の間には、抵抗Ｒ４及びスイッチＳＷ３の直列回路が接続されている。
【００４４】
ここにおいて、本実施形態では、外部信号入力部６のスイッチＳＷ１のＯＮ／ＯＦＦ操作に応じてスイッチＳＷ３がＯＮ／ＯＦＦするようになっており、スイッチＳＷ３により第２のスイッチが構成されている。そして、スイッチＳＷ３がＯＮ状態になると、トランジスタＴｒ１のエミッタ端子から所定の動作電力が出力され、制御回路３に供給される。なお、スイッチＳＷ３がＯＮ状態にあるときのトランジスタＴｒ１のベース電圧はツェナーダイオードＺＤ２により所定値に固定され、その結果、エミッタ電圧（レギュレータ２の出力電圧）も所定値に固定される。なお、スイッチＳＷ３は、例えばトランジスタやＦＥＴ、リレーなどで構成される。
【００４５】
次に、モータＭの動作について図４及び図７に基づいて説明する。外部信号入力部６のスイッチＳＷ１がＯＮにされると、外部信号入力部６からスイッチＳＷ３に対して所定の外部信号（ＯＮ信号）が出力され、この外部信号によりスイッチＳＷ３がＯＮ状態になる。スイッチＳＷ３がＯＮ状態になると、ツェナーダイオードＺＤ２によりトランジスタＴｒ１のベース電圧が所定値に固定され（つまりベース電流が流れる）、その結果、トランジスタＴｒ１のエミッタ電圧も所定値に固定される。なお、このときのエミッタ電圧が制御回路３への供給電圧（レギュレータ２の出力電圧）となる。そして、このレギュレータ２から制御回路３に所定の動作電力が供給されると、制御回路３が起動する。
【００４６】
制御回路３が起動すると、マグネットロータ１１の磁極位置を検出した磁気センサ１２から所定の検知信号が制御回路３に出力される。検知信号を受け取った制御回路３は、例えばスイッチング素子Ｑ１，Ｑ４に対してゲート信号を出力してスイッチング素子Ｑ１，Ｑ４をＯＮにする。すると、スイッチング素子Ｑ１からスイッチング素子Ｑ４へ向かう向き（図４中の矢印ｂの向き）の電流がモータコイル５に流れ、この電流によってステータコア１０に磁界が発生する。そして、この発生した磁界によりマグネットロータ１１が回転するのである。
【００４７】
マグネットロータ１１が回転することによって磁極位置が変化すると、磁気センサ１２はこの磁極位置の変化を検出して、対応する検知信号を制御回路３に出力する。検知信号を受け取った制御回路３は、スイッチング素子Ｑ１，Ｑ４をＯＦＦにするとともにスイッチング素子Ｑ２，Ｑ３をＯＮにして、上記の方向とは逆向き（図４中の矢印ｂと反対向き）の電流をモータコイル５に流す。すると、この電流によって上記の方向とは逆向きの磁界がステータコア１０に発生し、この発生した磁界によりマグネットロータ１１が回転するのである。なおこのとき、マグネットロータ１１は、上記の方向と同じ方向に回転することになる。
【００４８】
以下同様にして、制御回路３がスイッチング素子Ｑ１，Ｑ４の組と、スイッチング素子Ｑ２，Ｑ３の組を交互にＯＮにすることでモータコイル５に交番電流が流れ、この交番電流によってステータコア１０に発生する交番磁界によりマグネットロータ１１の回転が維持されるのである。
【００４９】
モータＭが回転している状態でスイッチＳＷ１がＯＦＦにされると、外部信号入力部６から出力されていた外部信号（ＯＮ信号）がＯＦＦになり、外部信号がＯＦＦになったことでスイッチＳＷ３がＯＦＦになる。スイッチＳＷ３がＯＦＦになると、トランジスタＴｒ１のベース電圧がグランドレベルになり（つまりベース電流が流れなくなる）、トランジスタＴｒ１がＯＦＦされる。その結果、制御回路３への電力供給が停止されるため、制御回路３が停止する。そして、制御回路３が停止することで全てのスイッチング素子Ｑ１〜Ｑ４がＯＦＦにされて、モータコイル５が非通電状態となり、その結果、ステータコア１０に発生していた交番磁界も消失してマグネットロータ１１の回転が停止される。
【００５０】
このとき、レギュレータ２、制御回路３及びモータコイル５への通電がすべて停止されることから、モータ停止時における電力消費を抑えることができ、その結果、モータ停止中の待機電力を極めて小さく抑えることができる。また、外部信号入力部６によってＯＮ／ＯＦＦされるスイッチＳＷ３を設けるだけでいいので、待機電力を低減可能なモータＭを簡単な構成で安価に実現することができる。さらに、本実施形態のように、電源リプルやノイズが少なく、安定性の高いシリーズレギュレータを用いた場合には、制御回路３に対して動作電力を安定的に供給することができる。
【００５１】
ここにおいて、本実施形態においても、図５に示すようにレギュレータ２の出力電圧を検出する電圧検出回路（電圧検出手段）７を設けたり、図６に示すようにモータＭの起動タイミングを遅延させるためのタイマ回路（タイマ手段）８を設けてもよく、同様にモータＭの起動性を高めることができる。なお、詳細については実施形態１と同様であるから、説明は省略する。
【００５２】
なお、上述した実施形態１，２では、スイッチング素子Ｑ１〜Ｑ４がＦＥＴである場合を例に説明したが、例えばＮＰＮ型及びＰＮＰ型のバイポーラトランジスタを用いてもよく、本実施形態に限定されるものではない。また、実施形態１，２では、単相全波ブラシレスＤＣモータを例に説明したが、例えば三相全波ブラシレスＤＣモータやブラシ付きＤＣモータなどであってもよく、本実施形態に限定されるものではない。
【００５３】
さらに、実施形態１，２では、ツェナーダイオードＺＤ１と抵抗Ｒ１で電圧検出回路７を構成しているが、例えば専用のＩＣやマイコンの一部を電圧検出手段としてもよく、本実施形態に限定されるものではない。また、タイマ手段についても本実施形態に限定されるものではなく、例えば専用のＩＣやマイコンの一部を用いてもよい。
【００５４】
また、実施形態１，２では、制御電源回路がレギュレータ２の場合を例に説明したが、制御電源回路はレギュレータに限定されるものではなく、制御回路３に対して動作電力を供給できるものであればよい。そして、この場合にも、モータ駆動用電源と制御電源回路との間に第１のスイッチを設けることによって、同様にモータ停止中の待機電力を極めて小さく抑えることができる。
【００５５】
（実施形態３）
上述したモータＭを用いたポンプ並びに液体循環装置の実施形態を図７及び図８に基づいて説明する。
【００５６】
図７は本実施形態のポンプＰの一例を示す断面図であり、本ポンプＰは、上述の実施形態１又は実施形態２で説明したモータＭと、モータＭのマグネットロータ１１に連結されて当該マグネットロータ１１とともに回転する羽根車２０と、これらが収納されるケーシング２２とを備える。ケーシング２２の一面側（図７中の上側）には水などの液体を吸い込む吸込口２１が設けられるとともに、ケーシング２２の側面には吸い込んだ液体を送出する送出口２３が設けられている。
【００５７】
そして、このポンプＰでは、マグネットロータ１１に連結された羽根車２０がマグネットロータ１１とともに回転することによって吸込口２１から液体が内部に吸い込まれ、さらに内部に吸い込まれた液体は羽根車２０の内部を通って送出口２３から外部に送出されるのである。このポンプＰによれば、モータＭを停止させている間は上述したレギュレータ２、制御回路３及びモータコイル５への通電がすべて停止されるため、モータ停止中の待機電力を極めて小さく抑えることができる。
【００５８】
また、図８は本実施形態のポンプＰを備えた液体循環装置Ａの適用例であり、例えばエンジンとモータを組み合わせた所謂ハイブリットシステムを搭載した自動車に適用される。
【００５９】
上記の自動車は、図８に示すようにバッテリ３０と、自動車の駆動力を発生させるブラシレスＤＣモータ３３と、バッテリ３０から電力が供給されてブラシレスＤＣモータ３３を駆動制御するインバータ３２とを備えるとともに、従来周知のエンジン３１を備えている。ここにおいて、上記のインバータ３２にはパワー半導体素子が用いられており、このパワー半導体素子には大電流が流れることから大きな発熱を伴う。そのため、パワー半導体素子で発生する熱を冷却させる必要があり、本実施形態の液体循環装置Ａが用いられる。そして、この液体循環装置Ａによれば、ポンプＰに用いられるモータＭを停止させている間は上述したレギュレータ２、制御回路３及びモータコイル５への通電がすべて停止されるため、モータ停止中の待機電力を極めて小さく抑えることができる。なお、上記のインバータ３２は、ブラシレスＤＣモータ３３が発電機として働いた場合にはバッテリ３０を充電するための整流回路として機能する。
【００６０】
なお、本実施形態では、ポンプＰ及び液体循環装置Ａを自動車用の冷却装置として用いた場合を例に説明したが、例えば冬場のアイドリングストップ時において車内の暖房を確保するための温水循環装置として用いてもいいし、また住宅などの給湯用の循環装置として用いてもよく、液体を循環させるものであれば本実施形態に限定されるものではない。
【符号の説明】
【００６１】
１  モータ駆動用電源
２  レギュレータ（制御電源回路）
３  制御回路
５  モータコイル
ＳＷ１  スイッチ
ＳＷ２  スイッチ（第１のスイッチ）
【図１】
2011259598.tif 000003
【図２】
2011259598.tif 000004
【図３】
2011259598.tif 000005
【図４】
2011259598.tif 000006
【図５】
2011259598.tif 000007
【図６】
2011259598.tif 000008
【図７】
2011259598.tif 000009
【図８】
2011259598.tif 000010